(57)【要約】【課題】搭載先の車両の構成を自動的に識別し、適切な始動制御を実行すること。【解決手段】リモートスタートＥＣＵ２４内の構成識別部２４ｂが、特定の構成に固有の信号、具体的には機械型構成におけてキーシリンダー２６が出力するキー挿入検知信号や、電子型構成におけるプッシュスイッチ信号、また電源ＥＣＵ３３が送信元である信号などを受信して自車両の構成を識別し、制御処理部２４ｃが構成に対応した始動制御を選択して実行する。【選択図】        図１
2006213247.tif 000002
【特許請求の範囲】
【請求項１】
遠隔操作用端末から受信した信号に基づいて、もしくは自律的に車両の始動制御を行なう始動制御装置であって、
車両の構成を識別する構成識別手段と、
前記構成識別手段が識別した構成に対応する始動制御を選択して実行する制御処理手段と、
を備えたことを特徴とする始動制御装置。
【請求項２】
前記構成識別手段は、特定の構成に固有の信号を検知した場合に前記車両の構成を識別することを特徴とする請求項１に記載の始動制御装置。
【請求項３】
前記構成識別手段は、キーの操作によらず始動を行う電子型構成と、キーの操作により始動を行う機械型構成とを識別することを特徴とする請求項１または２に記載の始動制御装置。
【請求項４】
前記構成識別手段は、キー挿入を示す信号を検知した場合に自車両が機械型構成であると識別することを特徴とする請求項３に記載の始動制御装置。
【請求項５】
前記構成識別手段は、電子型固有の操作を検出した場合に自車両が電子型構成であると識別することを特徴とする請求項３または４に記載の始動制御装置。
【請求項６】
前記構成識別手段は、エンジン制御装置に対する始動制御をつかさどる制御装置が送出した信号を検知した場合に自車両が電子型構成であると識別することを特徴とする請求項３，４または５に記載の始動制御装置。
【請求項７】
前記制御処理手段は、自車両の構成が未確定である場合に自車両が機械型構成であるとみなして前記始動制御を実行することを特徴とする請求項３〜６のいずれか一つに記載の始動制御装置。
【請求項８】
前記構成識別手段は、前記特定の構成に固有の信号を車内ネットワークを介して取得することを特徴とする請求項２〜７のいずれか一つに記載の始動制御装置。
【発明の詳細な説明】
【技術分野】
【０００１】
この発明は、遠隔操作用端末から受信した信号に基づいて、もしくは自律的に車両の始動制御を行なう始動制御装置に関し、特に異なる構成を有する車両に搭載可能な汎用性の高い始動制御装置に関する。
【背景技術】
【０００２】
近年、車両の暖機や空調を事前に行うべく、運転者が車外にいる状態でエンジンを遠隔に、もしくはタイマー等を用いて予め定めた時刻に（即ち自律的に）始動する始動制御装置が実用化されている。この始動制御装置は、例えば、運転者が所持する遠隔操作端末（リモートキー）からのエンジン始動要求を受信した場合に、鍵による始動操作が行なわれた場合と同様の操作を実行する。すなわちスタータモータを稼動する。これにより、エンジン制御装置が燃料の噴霧を実行する。
【０００３】
この始動制御装置は、車両の販売後に追加される場合があるが、鍵の認証に成功した場合にのみエンジンの始動禁止を解除する、いわゆるイモビライザを搭載した車両に始動制御装置を追加する際には、イモビライザによる始動禁止を解除するため、認証用のコードを始動制御装置に登録し、始動制御を行う前にイモビライザに認証用のコードを送信して始動禁止を解除することが必要となる（たとえば特許文献１および２参照。）。
【０００４】
【特許文献１】特許第３３６５７１６号公報
【特許文献２】特許第３３６５７１７号公報
【発明の開示】
【発明が解決しようとする課題】
【０００５】
ところで従来の手動のエンジン始動では、キーシリンダにキーを挿入し、回動することでエンジンを始動していた（以下、機械型構成と称する）。しかし近年、キーによらずボタン操作でエンジン始動を行う、いわゆるプッシュスタート方式（以下、電子型構成と称する。）の採用が始まっている。
【０００６】
そこで始動制御装置を後から追加する場合、搭載先の車両の構成によってエンジン始動の方法やイモビライザに対する認証用のコードの送信方法など制御内容が異なる場合がある。しかし、対象の構成ごとに異なる始動制御装置を製造するとコストの上昇を招く。また、双方に対応する始動制御装置であっても、搭載先の車両の構成を登録するという労力が必要であった。
【０００７】
すなわち、従来の始動制御装置には、搭載先の車両の構成によって異なる装置を使用する、もしくは搭載先の車両の構成を登録する必要が生じるという問題点があった。そこで、搭載先の車両の構成を自動的に識別し、始動制御を選択する始動制御装置の実現が重要な課題となっていた。
【０００８】
この発明は、上述した従来技術による問題点を解消し、課題を解決するためになされたものであり、搭載先の車両の構成を自動的に識別し、適切な始動制御を実行する汎用性の高い始動制御装置を提供することを目的とする。
【課題を解決するための手段】
【０００９】
上述した課題を解決し、目的を達成するため、請求項１の発明に係る始動制御装置は、遠隔操作用端末から受信した信号に基づいて、もしくは自律的に車両の始動制御を行なう始動制御装置であって、車両の構成を識別する構成識別手段と、前記構成識別手段が識別した構成に対応する始動制御を選択して実行する制御処理手段と、を備えたことを特徴とする。
【００１０】
この請求項１の発明によれば始動制御装置は、構成識別手段が自車両の構成を識別し、制御処理手段は識別結果に基づいて始動制御の内容を選択して実行する。
【００１１】
また、請求項２の発明に係る始動制御装置は、請求項１の発明において、前記構成識別手段は、特定の構成に固有の信号を検知した場合に前記車両の構成を識別することを特徴とする。
【００１２】
この請求項２の発明によれば始動制御装置は、構成識別手段は特定の構成に固有の信号を検知した場合に自車両の構成を識別し、制御処理手段は識別結果に基づいて始動制御の内容を選択して実行する。
【００１３】
また、請求項３の発明に係る始動制御装置は、請求項１または２の発明において、前記構成識別手段は、キーの操作によらず始動を行う電子型構成と、キーの操作により始動を行う機械型構成とを識別することを特徴とする。
【００１４】
この請求項３の発明によれば始動制御装置は、構成識別手段は自車両が電子型構成であるか機械型構成であるかを識別し、制御処理手段は識別結果に基づいて始動制御の内容を選択して実行する。
【００１５】
また、請求項４の発明に係る始動制御装置は、請求項３の発明において、前記構成識別手段は、キー挿入を示す信号を検知した場合に自車両が機械型構成であると識別することを特徴とする。
【００１６】
この請求項４の発明によれば始動制御装置は、キー挿入を示す信号を検知した場合に自車両が機械型構成であると識別し、制御手段は機械型構成用の始動制御を行う。
【００１７】
また、請求項５の発明に係る始動制御装置は、請求項３または４の発明において、前記構成識別手段は、電子型固有の操作を検出した場合に自車両が電子型構成であると識別することを特徴とする。
【００１８】
この請求項５の発明によれば始動制御装置は、電子型構成に固有の操作を検出した場合に自車両が電子型構成であると識別し、制御手段は電子型構成用の始動制御を行う。
【００１９】
また、請求項６の発明に係る始動制御装置は、請求項３，４または５の発明において、前記構成識別手段は、エンジン制御装置に対する始動制御をつかさどる制御装置が送出した信号を検知した場合に自車両が電子型構成であると識別することを特徴とする。
【００２０】
この請求項６の発明によれば始動制御装置は、エンジン制御装置に対する始動制御をつかさどる制御装置が送出した信号を検知した場合に自車両が電子型構成であると識別し、制御手段は、電子型構成用の始動制御を行う。
【００２１】
また、請求項７の発明に係る始動制御装置は、請求項３〜６のいずれか一つの発明において、前記制御処理手段は、自車両の構成が未確定である場合に自車両が機械型構成であるとみなして前記始動制御を実行することを特徴とする。
【００２２】
この請求項７の発明によれば始動制御装置は、構成識別手段は自車両が電子型構成であるか機械型構成であるかを識別し、制御処理手段は識別結果が未確定である場合に機械型構成用の始動制御を行う。
【００２３】
また、請求項８の発明に係る始動制御装置は、請求項２〜７のいずれか一つの発明において、前記特定の構成に固有の信号を車内ネットワークを介して取得することを特徴とする。
【００２４】
この請求項８の発明によれば始動制御装置は、構成識別手段は特定の構成に固有の信号を車内ネットワーク経由で受信した場合に自車両の構成を識別し、制御処理手段は識別結果に基づいて始動制御の内容を選択して実行する。
【発明の効果】
【００２５】
請求項１の発明によれば始動制御装置は、構成識別手段が自車両の構成を識別し、制御処理手段は識別結果に基づいて始動制御の内容を選択して実行するので、搭載先の車両の構成を自動的に識別し、適切な始動制御を実行する汎用性の高い始動制御装置を得ることができるという効果を奏する。
【００２６】
また、請求項２の発明によれば始動制御装置は、構成識別手段は特定の構成に固有の信号を検知した場合に自車両の構成を識別し、制御処理手段は識別結果に基づいて始動制御の内容を選択して実行するので、搭載先の車両の構成を簡易に識別し、適切な始動制御を実行する汎用性の高い始動制御装置を得ることができるという効果を奏する。
【００２７】
また、請求項３の発明によれば始動制御装置は、構成識別手段は自車両が電子型構成であるか機械型構成であるかを識別し、制御処理手段は識別結果に基づいて始動制御の内容を選択して実行するので、搭載先の車両が機械型構成か電子型構成かを自動的に識別し、適切な始動制御を実行する汎用性の高い始動制御装置を得ることができるという効果を奏する。
【００２８】
また、請求項４の発明によれば始動制御装置は、キー挿入を示す信号を検知した場合に自車両が機械型構成であると識別し、制御手段は機械型構成用の始動制御を行うので、搭載先の車両が機械型構成であることを簡易に識別し、機械型構成用の始動制御を実行する汎用性の高い始動制御装置を得ることができるという効果を奏する。
【００２９】
また、請求項５の発明によれば始動制御装置は、電子型構成に固有の操作を検出した場合に自車両が電子型構成であると識別し、制御手段は電子型構成用の始動制御を行うので、搭載先の車両が電子型構成であることを簡易に識別し、電子型構成用の始動制御を実行する汎用性の高い始動制御装置を得ることができるという効果を奏する。
【００３０】
また、請求項６の発明によれば始動制御装置は、エンジン制御装置に対する始動制御をつかさどる制御装置が送出した信号を検知した場合に自車両が電子型構成であると識別し、制御手段は、電子型構成用の始動制御を行うので、搭載先の車両が電子型構成であることを簡易に識別し、電子型構成用の始動制御を実行する汎用性の高い始動制御装置を得ることができるという効果を奏する。
【００３１】
また、請求項７の発明によれば始動制御装置は、構成識別手段は自車両が電子型構成であるか機械型構成であるかを識別し、制御処理手段は識別結果が未確定である場合に機械型構成用の始動制御を行うので、搭載先の車両の構成を自動的に識別し、適切な始動制御を実行する信頼性の高い始動制御装置を得ることができるという効果を奏する。
【００３２】
また、請求項８の発明によれば始動制御装置は、構成識別手段は特定の構成に固有の信号を車内ネットワーク経由で受信した場合に自車両の構成を識別し、制御処理手段は識別結果に基づいて始動制御の内容を選択して実行するので、搭載先の車両の構成を確実に識別し、適切な始動制御を実行する汎用性の高い始動制御装置を得ることができるという効果を奏する。
【発明を実施するための最良の形態】
【００３３】
以下に添付図面を参照して、この発明に係る始動制御装置の好適な実施の形態である車載システムについて詳細に説明する。
【実施例】
【００３４】
まず、車載システムの構成には、手動のエンジン始動時にキーシリンダにキーを挿入し、回動することでエンジン始動を行う機械型構成と、キーによらずボタン操作でエンジン始動を行う、いわゆるプッシュスタート方式と称される電子型構成がある。この機械式構成について図１〜３、電子型構成について図４〜６を参照して説明する。
【００３５】
図１は、機械型構成の具体例を示す概要構成図である。同図に示すように、車載システム１は、アンテナ１１、リモートキーチューナ２１、ボディＥＣＵ（Electrical Control Unit）２２、ＥＦＩ用ＥＣＵ（燃料噴射制御装置）２３、リモートスタートＥＣＵ２４、イモビライザＥＣＵ２５、キーシリンダ２６およびイモビライザアンプ２７を有する。
【００３６】
リモートキーチューナ２１はアンテナ１１を介し、アンテナ１２を備えたリモートキー２との通信を行なう。リモートキー２は、ユーザが所持する遠隔操作端末であり、エンジン始動要求や停止要求を車載システム１に対して送信する。また、ドアの施錠要求や解錠要求などをさらに送信する構成としても良い。一方、キー３は、ユーザが直接エンジンの始動操作を行なう際に使用するものであるが、リモートキー２の機能をこのキー３に持たせても良い。
【００３７】
ボディＥＣＵ２２は、車体の状態の制御を行う制御装置であり、車速、エンジンルームのフードの開閉状態、ドアの開閉状態、ドアの施錠状態、シフト（変速機）の状態、ブレーキの状態、キーがキーシリンダに挿入されているか否かを示すキー挿入状態などを取得する。これらの状態は車速センサ、フードスイッチ、ドア開閉スイッチ、ドアロックスイッチ、シフトスイッチ、ブレーキスイッチとボディＥＣＵ２２の端子とが接続されており、これらのスイッチのクローズ、オープン状態を検出することによって判別することができる。また、ボディＥＣＵ２２は、リモートキーチューナ２１およびバスネットワーク２０に接続し、入力した情報をバスネットワーク２０に出力するとともに、バスネットワーク２０を介してＥＦＩ用ＥＣＵ２３およびリモートスタートＥＣＵ２４と通信する。
【００３８】
ＥＦＩ用ＥＣＵ２３は、エンジンの動作を電子制御する制御装置である。具体的にはＥＦＩ用ＥＣＵ２３は、イグニッションライン（ＩＧ）の接続に対応して動作を開始し、スタータライン（ＳＴ）の接続に対応して図示しないスタータモータが回転を始めたことを検出するとエンジンへの燃料噴射と点火制御を行ってエンジンを始動・稼動させる。また、イグニッションライン（ＩＧ）が開放された場合には燃料噴射を終了してエンジンを停止する。
【００３９】
ここでＥＦＩ用ＥＣＵ２３は、エンジンの状態に関する情報、例えばエンジン回転数などを取得し、エンジンの制御に使用する。また、ＥＦＩ用ＥＣＵ２３はバスネットワーク２０に接続し、このバスネットワーク２０を介してボディＥＣＵ２２およびリモートスタートＥＣＵ２４と通信を行ない、各ＥＣＵの出力情報を受信し、またＥＦＩ用ＥＣＵ２３の入力情報を送信する。
【００４０】
さらに、ＥＦＩ用ＥＣＵ２３はイモビライザＥＣＵ２５と接続している。このイモビライザＥＣＵ２５は、車両の鍵（ここではキー３）に認証用の情報（コード）を持たせることで車両の盗難を防止する装置であり、鍵のキーシリンダ２６への挿入検知時にコードを読み出して認証を行なう。そして認証に失敗した場合にはエンジンの始動を禁止し、認証が成功した場合にのみ始動禁止を解除することで不正なエンジン始動による車両の盗難を防止する。
【００４１】
イモビライザＥＣＵ２５によるエンジンの始動禁止を解除する場合の手順を図２に示す。同図に示すように、まず、キーシリンダ２６がキー３の挿入を検知してイモビライザＥＣＵ２５に通知する（手順１）。通知を受けたイモビライザＥＣＵ２５は、イモビライザアンプ２７に対してキーコード送信要求を行う（手順２）。そして、イモビライザアンプ２７は、キー３と無線通信を行ない、キー３に内蔵されたトランスポンダが記憶するキーコードを読み取ってイモビライザに送信する（手順３）。イモビライザＥＣＵ２５は、イモビライザアンプ２７から受信したキーコードと自身が予め記憶したキーコードとの一致判定を行い、一致した場合に認証成功としてＥＦＩ用ＥＣＵ２３に始動許可を与えることで、エンジンの始動禁止を解除する（手順４）。
【００４２】
したがって、ユーザが正規のキー３をキーシリンダ２６に挿入した場合にはイモビライザ２５は自動的にエンジンの始動禁止を解除し、ユーザはキー３の回動操作によってイグニッションラインやスタータライン、また車載機器への電源供給を管理するアクセサリーライン（ＡＣＣ）を操作してスタータモータを駆動することでＥＦＩ用ＥＣＵ２３は燃料制御、点火制御を行いエンジンを始動する。一方、不正なキーをキーシリンダ２６に挿入したときは、イモビライザＥＣＵ２５でのキーコードの一致が取れないため、ＥＦＩ用ＥＣＵ２３は始動禁止状態にあり、キーの回動操作でスタータモータを駆動してもＥＦＩ用ＥＣＵ２３は動作せずエンジンは始動しない。
【００４３】
リモートスタートＥＣＵ２４は、キー３がキーシリンダ２ｂに挿入されていない、すなわちユーザが車外に居る状態で、エンジンを始動する処理を行う。この時、イモビライザＥＣＵ２５によるエンジンの始動禁止を解除するため、リモートスタートＥＣＵ２４はキー３が保持するキーコードと同様の機能を有する認証用の情報をイモビライザコードとして不揮発性メモリであるイモビライザコードメモリ２４ａに記憶している。
【００４４】
このリモートスタートＥＣＵ２４によるエンジン始動時の手順を図３に示す。まず、リモートキー２が送信したエンジン始動要求をリモートキーチューナ２１が受信し、ボディＥＣＵ２２、バスネットワーク２０を介してリモートスタートＥＣＵ２４に通知する（手順１）。リモートスタートＥＣＵ２４は、この始動要求を受けてイモビライザＥＣＵ２５に解除要求を行う（手順２）。イモビライザＥＣＵ２５は、解除要求を受けてリモートスタートの認証を行ない、認証が成功したならばＥＦＩ用ＥＣＵ２３に始動許可を与えるとともに、リモートスタートＥＣＵ２５に始動禁止を解除したことを通知する（手順３）。その後、リモートスタートＥＣＵ２４は、アクセサリーライン、イグニッションライン、スタータラインを操作して夫々擬似信号を出力することによりエンジンの始動制御を行う（手順４）。
【００４５】
一方、電子型構成の具体例を図４に示す。同図に示すように車載システム４は、その内部にリモートキーチューナ３１、イモビライザ付ボディＥＣＵ３２、電源ＥＣＵ３３、ＥＦＩ用ＥＣＵ２３、リモートスタートＥＣＵ２４およびプッシュスイッチ３４を有する。なお、ＥＦＩ用ＥＣＵ２３およびリモートスタートＥＣＵ２４は、図１に示した車載システム１と同一の構成要素である。
【００４６】
リモートキーチューナ３１には車両の内外に夫々複数設けられたアンテナが接続されており（図４では便宜上１本だけ示している。）、リモートキー５との通信を行ない、リモートキー５からの受信信号と、どのアンテナで受信したか示す情報を出力する。リモートキー５は、ユーザが所持する遠隔操作端末であり、エンジン始動要求や停止要求、ドアの施錠要求や解錠要求などを送信する。
【００４７】
イモビライザ付ボディＥＣＵ３２は、図１に示したボディＥＣＵ２２の機能とイモビライザ２５の機能を有する制御装置であり、リモートキーチューナ３１の出力信号に基づき、即ちリモートキー５からの信号を受信したアンテナに基づきリモートキー５が車内に在るか否かを判定するとともに、車体の状態の制御およびエンジンの始動禁止／解除を行なう。また、イモビライザ付ボディＥＣＵ３２は、リモートキー５が正当なものであるか否かを、リモートキー５が保持するコードを照合することで電子的に確認する。
【００４８】
電源ＥＣＵ３３は、ＥＦＩ用ＥＣＵ２３に対する始動制御をつかさどる制御装置であり、ユーザによるプッシュスイッチ３４の操作を受けて、アクセサリーライン（ＡＣＣ）、イグニッションライン（ＩＧ）、スタータライン（ＳＴ）の制御を行なう。
【００４９】
このプッシュスイッチ３４の操作によるエンジン始動の手順を図５に示す。まず、リモートキーチューナ３１がリモートキー５と通信し、リモートキー５が車内にあることをイモビライザ付ボディＥＣＵ３２が検知した場合にイモビライザ付ボディＥＣＵ３２がリモートキー５の認証を行なう（手順１）。認証が成功したならばＥＦＩ用ＥＣＵ２３に始動許可を与えることでエンジンの始動禁止を解除する（手順２）。そして、ユーザがプッシュスイッチ３４を操作すると、電源ＥＣＵ３５がアクセサリーライン（ＡＣＣ）、イグニッションライン（ＩＧ）、スタータライン（ＳＴ）を制御してエンジンを始動する（手順３）。
【００５０】
この車載システム４では、リモートスタートＥＣＵ２４はキー５が車内にない状態でエンジンを始動する処理を行なう。この時リモートスタートＥＣＵ２４は、イモビライザコード２４ａを用いてイモビライザ付ボディＥＣＵ３２によるエンジンの始動禁止を解除する。
【００５１】
車載システム４においてリモートスタートＥＣＵ２４がエンジンを始動する際の手順を図６に示す。まず、リモートキー５が送信したエンジン始動要求をリモートキーチューナ３１が受信し、イモビライザ付ボディＥＣＵ３２、バスネットワーク２０を介してリモートスタートＥＣＵ２４に通知する（手順１）。リモートスタートＥＣＵ２４は、この始動要求を受けてイモビライザ付ボディＥＣＵ３２にバスネットワークを介して解除要求を行なう（手順２）。イモビライザ付ボディＥＣＵ３２は、解除要求を受けてリモートスタートＥＣＵ２４の認証を行ない、認証が成功したならばＥＦＩ用ＥＣＵ２３に始動許可を与えるとともに、リモートスタートＥＣＵ２４に始動禁止を解除したことを通知する（手順３）。その後、リモートスタートＥＣＵ２４は、電源ＥＣＵ３３に対して動作指示を出力し（手順４）、電源ＥＣＵ３３はこの動作指示を受けてアクセサリーライン、イグニッションライン、スタータラインを操作してエンジンを始動する（手順５）。
【００５２】
すなわち、リモートスタートＥＣＵ２４は、図１に示すような機械型構成を有する車両に搭載された場合にはアクセサリーライン、イグニッションライン、スタータラインを直接制御してエンジンを始動するが、図４に示すような電子型構成を有する車両に搭載された場合にはバスネットワーク２０を介して電源ＥＣＵ３３に対する動作指示の出力によってアクセサリーライン、イグニッションライン、スタータラインを制御する。また、イモビライザとの通信についても機械型構成の場合はバスネットワーク２０を介することなく行なうが、電子型構成の場合は、バスネットワーク２０を介して行なう。
【００５３】
そこで、リモートスタートＥＣＵ２４は、予め機械型構成と電子型構成にそれぞれ対応した始動処理プログラムを内蔵し、その内部に有する構成識別部２４ｂによって自車両が搭載された車両が機械型構成であるか電子型構成であるかを識別する。そして、制御処理部２４ｃは識別結果に基づいて適切な始動処理を選択し、実行する。即ち、遠隔操作用端末から受信した信号に基づいて、もしくは自律的に車両の始動制御を行う始動制御装置であって、車両に搭載される車両の始動を行うための構成が、キーの操作によらず始動を行う電子型構成、あるいはキーの操作により始動を行う機械型構成かを識別する構成識別手段（以下の図７に説明するＳ１０５〜Ｓ１０９）と、予め機械型構成と電子型構成にそれぞれ対応した始動処理プログラム（以下の図７に説明するＳ１０３、Ｓ１０４）を内蔵しておき、前記構成識別手段の識別結果により前記始動処理プログラムを選択して実行する制御処理手段（以下の図７に説明するＳ１０２）とを備えたことを特徴とする。
【００５４】
識別処理部２４ｂが自車両の構成を識別する方法としては、具体的には「手動始動時の動作を検知する方法」と「信号の入出力を監視する方法」がある。
【００５５】
まず、「手動始動時の動作を検知する方法」について説明する。機械型構成（車載システム１）において手動でエンジンを始動する場合、キーシリンダ２６がキー３の挿入を検知してキー検知信号を出力している。一方、電子型構成（車載システム４）において手動でエンジンを始動する場合、プッシュスイッチ４がオンとなってプッシュスイッチ信号が出力される。
【００５６】
ここでキー検知信号とプッシュスイッチ信号はそれぞれの構成に固有の信号であるので、識別処理部２４ｂは、イグニッションラインが接続された場合にキー検知信号が出力されているならば機械型構成、プッシュスイッチ信号が出力されているならば電子型構成と識別し、その識別結果を構成識別部２４ｂ内の記憶領域（メモリ）に記憶する。キー検知信号はボディＥＣＵ２２から、プッシュスイッチ信号は電源ＥＣＵ３３から夫々バスネットワーク２０に出力されるものであり、リモートスタートＥＣＵ２４は、バスネットワーク２０に出力される情報からどちらの信号が出力されたかを判断する。尚、それぞれの信号はバスネットワーク２０によらず、直接リモートスタートＥＣＵ２４に入力されるようにしてもよい。
【００５７】
この「手動始動時の動作を検知する方法」を使用する場合のリモートスタートＥＣＵ２４の処理動作を図７に示す。まず、制御処理部２４ｃは、構成識別部２４ｂのメモリの記憶内容を読み出す（ステップＳ１０１）。
【００５８】
そして、メモリに「電子型構成」と記憶されていれば（ステップＳ１０２，Ｙｅｓ）、図６で説明した電子型構成用の始動制御を実行し（ステップＳ１０４）、「電子型構成」と記憶されていなければ（ステップＳ１０２，Ｎｏ）、図３で説明した機械型構成用の始動制御を実行する（ステップＳ１０３）。
【００５９】
そして、イグニッションラインの状態を確認し（ステップＳ１０５）、イグニッションがオフ状態であれば（ステップＳ１０５，Ｎｏ）、ステップＳ１０１に戻る。このステップＳ１０１からステップＳ１０５までの処理フローは、メインルーチンの一部である。尚、ステップＳ１０５はなくてもよい。
【００６０】
一方、イグニッションラインがオン状態である場合（ステップＳ１０５，Ｙｅｓ）、構成識別部２４ｂはキー検知信号がバスネットワーク２０に流れているかを判定する（ステップＳ１０６）。そしてキー検知信号が流れていれば（ステップＳ１０６，Ｙｅｓ）、構成識別部２４ｂは内部のメモリに「機械型構成」を記憶させて（ステップＳ１０７）、ステップＳ１０１に戻る。
【００６１】
一方、キー検知信号が流れていなければ（ステップＳ１０６，Ｎｏ）、構成識別部２４ｂはプッシュスイッチ信号がバスネットワーク２０に流れているか否かを判定する（ステップＳ１０８）。その結果、プッシュスイッチ信号が流れている（ステップＳ１０８，Ｙｅｓ）ならばメモリに「電子型構成」を記憶させた（ステップＳ１０９）後、プッシュスイッチ信号が流れてなければ（ステップＳ１０８，Ｎｏ）そのままステップ１０１に移行する。
【００６２】
このように手動始動時の動作を監視して構成を識別して記憶することで、最初の手動によるエンジン始動の後は、車両の構成に対応した適切な動作でエンジンの遠隔始動を行なうことが可能となる。
【００６３】
つづいて「信号の入出力を監視する方法」について説明する。機械型構成（車載システム１）におけるキー３の回動操作に対応する操作を行なうため、電子型構成（車載ステム４）では電源ＥＣＵ３３を有する。
【００６４】
したがって、リモートスタートＥＣＵ２４が電源ＥＣＵ３３を送信元とする信号を受信した場合、この信号は電子型構成の固有の信号であるので、識別処理部２４ｂは、自車両が電子型構成であると識別することができる。
【００６５】
この「信号の入出力を監視する方法」を使用する場合のリモートスタートＥＣＵ２４の処理動作を図８に示す。まず、構成識別部２４ｂは、バスネットワーク２０の通信状態を監視し、電源ＥＣＵ３３からの信号を受信したか否かを監視する（ステップＳ２０１）。
【００６６】
その結果、電源ＥＣＵ３３からの信号を受信していなければ（ステップＳ２０１，Ｎｏ）、制御処理部２４ｃは図３で説明した機械型構成用の始動制御を採用して（ステップＳ２０３）、ステップＳ２０１に戻る。
【００６７】
一方、電源ＥＣＵ３３からの信号を受信した場合（ステップＳ２０１，Ｙｅｓ）、それ以降、制御処理部２４ｃは図６で説明した電子型構成用の制御を採用する（ステップＳ２０２）。
【００６８】
このように特定の構成要素からの出力を監視することで、手動による始動の有無に依存することなく車両の構成を識別し、適切な動作でエンジンの遠隔始動を行なうことが可能となる。
【００６９】
上述してきたように、本実施例にかかる車載システムでは、リモートスタートＥＣＵ２４内の構成識別部２４ｂが、特定の構成に固有の信号、具体的には機械型構成におけるキー挿入検知信号や、電子型構成におけるプッシュスイッチ信号、また電源ＥＣＵ３３が送信元である信号などを受信して自車両の構成を識別し、制御処理部２４ｃが構成に対応した制御を選択するので、搭載先の車両の構成を自動的に識別し、適切な始動制御を実行する汎用性の高い始動制御装置を得ることができる。
【００７０】
尚、以上の実施例では機械型構成と電子型構成を例にとり説明したが、本発明はこれに限られるものではなく、搭載先の車両の構成によって制御方法が異なるものに対し適用可能である。
【産業上の利用可能性】
【００７１】
以上のように、本発明にかかる始動制御装置は、車両の始動制御に有用であり、搭載先の車両構成が不明な場合の遠隔始動装置に適している。
【図面の簡単な説明】
【００７２】
【図１】機械型構成の具体例を示す概要構成図である。
【図２】図１に示した車載システムにおける手動始動を説明する説明図である。
【図３】図１に示した車載システムにおける遠隔始動を説明する説明図である。
【図４】電子型構成の具体例を示す概要構成図である。
【図５】図４に示した車載システムにおける手動始動を説明する説明図である。
【図６】図４に示した車載システムにおける遠隔始動を説明する説明図である。
【図７】手動始動時の動作検知による構成識別方法を説明するフローチャートである。
【図８】信号の入出力監視による構成識別方法を説明するフローチャートである。
【符号の説明】
【００７３】
１，４    車載システム
２，５    リモートキー
３    キー
１１，１２    アンテナ
２０    バスネットワーク
２１，３１    リモートキーチューナ
２２    ボディＥＣＵ
２３    ＥＦＩ用ＥＣＵ
２４    リモートスタート
２４    リモートスタートＥＣＵ
２４ａ  イモビライザコードメモリ
２４ｂ  構成識別部
２４ｃ  制御処理部
２５    イモビライザＥＣＵ
２６    キーシリンダ
２７    イモビライザアンプ
３２    イモビライザ付ボディＥＣＵ
３３    電源ＥＣＵ
３４    プッシュスイッチ
【図１】
2006213247.tif 000003
【図２】
2006213247.tif 000004
【図３】
2006213247.tif 000005
【図４】
2006213247.tif 000006
【図５】
2006213247.tif 000007
【図６】
2006213247.tif 000008
【図７】
2006213247.tif 000009
【図８】
2006213247.tif 000010